(57)【要約】      （修正有）【課題】市販の鉛筆を継ぎ足して使えるようにするために、鉛筆に加工を施す、使い易く、安価な鉛筆切削器具を提供する。【解決手段】鉛筆２の切削屑を貯留し、排出するため、器具本体３に上方に開放するように形成される切削屑排出穴４と、切削屑排出穴の側部に連通すると共に、器具本体３の側部に開放され、鉛筆２を挿入自在の第１挿通孔５と、第１挿通孔５と平行に併設されると共に、切削屑排出穴４の側部に連通し、且つ、器具本体３の側部に開放され、鉛筆２を挿入自在の第２挿通孔６と、第１挿通孔５と同軸心上に配設され、切削刃７が第１挿通孔５の切削屑排出穴４近傍に臨み、鉛筆２の中心部を穴明けするドリル８と、第２挿通孔６と同軸心上に配設され、切削刃７が第２挿通孔６の切削屑排出穴４近傍に臨み、鉛筆２の外周部を切削する切削体１０とを備える。【選択図】図１
0003113038.tif 000002
【実用新案登録請求の範囲】
【請求項１】
鉛筆の切削屑を貯留し、排出するため、器具本体に上方に開放するように形成される切削屑排出穴と、該切削屑排出穴の側部に連通すると共に、該器具本体の側部に開放され、鉛筆を挿入自在の第１挿通孔と、該第１挿通孔と平行に併設されると共に、該切削屑排出穴の側部に連通し、且つ、該器具本体の側部に開放され、鉛筆を挿入自在の第２挿通孔と、該第１挿通孔と同軸心上に配設され、切削刃が該第１挿通孔の前記切削屑排出穴近傍に臨み、鉛筆の中心部を穴明けするドリルと、該第２挿通孔と同軸心上に配設され、切削刃が該第２挿通孔の前記切削屑排出穴近傍に臨み、鉛筆の外周部を切削する切削体とを備えたことを特徴とする鉛筆切削器具。
【請求項２】
上記切削体は、円筒体と、該円筒体の端部に設けられる切削刃とから成り、該切削刃は、円筒体の一端外周部から軸方向に突設して配設される内刃と、円筒体の外周部から略放射方向に外方に突設して配設される外刃とを備えることを特徴とする請求項１記載の鉛筆切削器具。
【請求項３】
上記切削体は、円筒体と、該円筒体の端部に設けられる切削刃とから成り、該切削刃は、円筒体の一端外周部から軸方向に突設して配設される内刃と、円筒体の外周部から外周接線方向に外方に突設して配設される外刃とを備えることを特徴とする請求項１記載の鉛筆切削器具。
【請求項４】
上記切削体は、円筒体と、該円筒体の端部に設けられる切削刃とから成り、該切削刃は、円筒体の一端外周部から軸方向に突設して配設される内刃と、円筒体の外周部から外周接線方向に渦巻き状に外方に突設して配設される外刃とを備えることを特徴とする請求項１記載の鉛筆切削器具。
【請求項５】
上記内刃の刃先は、上記外刃の刃先より上記第２挿通孔側に突設していることを特徴とする請求項２，３又は４記載の鉛筆切削器具。
【請求項６】
上記器具本体の上部に、該器具本体の上面を所定の空間を有して被蔽し、該空間を切削屑収納スペースとする蓋体を着脱自在に設けたことを特徴とする請求項１，２，３，４又は５記載の鉛筆切削器具。
【考案の詳細な説明】
【技術分野】
【０００１】
本考案は、使用により短くなり、使用が困難となった古い鉛筆を、他の鉛筆と接続して（継ぎ足して）、再利用を図るべく、古い鉛筆及び他の鉛筆を切削するための鉛筆切削器具に関するものである。
【背景技術】
【０００２】
鉛筆は、使用により短くなり、短くなって使用が困難となった古い鉛筆は、そのまま廃棄される場合が多いが、鉛筆を有効に使い切るために、例えば、短くなった古い鉛筆に所定の長さを有するキャップ（或いはサック）を取り付け、又は、接続用キャップを備えた鉛筆状体を接続して、短くなった古い鉛筆を更に有効に利用することは良く行われている。
【０００３】
又、例えば、特許文献１には、鉛筆の両端を細くし、且つ、両端に受け部と差し込み部を夫々形成した継ぎ足し鉛筆であって、受け部と差し込み部によって次の新しい鉛筆を継ぎ足して接続し、接続部の細くなった部分にテープ等を巻回して補強する継ぎ足し鉛筆が記載されている。
【０００４】
更に、特許文献２にも、先端部に凸部を有し、他端部に凸部と同じ内径を有する穴部を形成した接続できる鉛筆であって、凸部を穴部に差し込み２本の鉛筆を継ぎ足して使用する鉛筆が記載されている。
【特許文献１】実開平５−７０９７７号公報
【特許文献２】実開平７−１１３７６号公報
【考案の開示】
【考案が解決しようとする課題】
【０００５】
然しながら、前述した、短くなった古い鉛筆に所定の長さを有するキャップを取り付け、或いは、接続用キャップを備えた鉛筆状体を接続して、短くなった古い鉛筆を更に有効に利用する場合に於いては、短くなった古い鉛筆を最後まで使い切ることは困難であり、一定限度以下に短かくなった鉛筆は廃棄することになる。
【０００６】
一方、特許文献１及び特許文献２の鉛筆は、鉛筆を最後まで使い切ることができ、木材等の資源の有効活用を図ることができる。
【０００７】
但し、特許文献１及び特許文献２の鉛筆は、その加工を予め鉛筆の製作段階で施す必要があり、例えば、市販されている鉛筆を消費者側で特定の工具なしで特許文献１及び特許文献２の鉛筆に加工することは困難である。
【０００８】
以上の現状に鑑み、本考案は、市販の鉛筆を継ぎ足して使えるようにするために、鉛筆に加工を施すための、使い易く、安価な鉛筆切削器具を提供することを目的とする。
【課題を解決するための手段】
【０００９】
上記の課題を解決すべく、本考案は以下の構成を提供する。
請求項１に係る考案は、鉛筆の切削屑を貯留し、排出するため、器具本体に上方に開放するように形成される切削屑排出穴と、該切削屑排出穴の側部に連通すると共に、該器具本体の側部に開放され、鉛筆を挿入自在の第１挿通孔と、該第１挿通孔と平行に併設されると共に、該切削屑排出穴の側部に連通し、且つ、該器具本体の側部に開放され、鉛筆を挿入自在の第２挿通孔と、該第１挿通孔と同軸心上に配設され、切削刃が該第１挿通孔の前記切削屑排出穴近傍に臨み、鉛筆の中心部を穴明けするドリルと、該第２挿通孔と同軸心上に配設され、切削刃が該第２挿通孔の前記切削屑排出穴近傍に臨み、鉛筆の外周部を切削する切削体とを備えたことを特徴とする鉛筆切削器具を提供するものである。
【００１０】
請求項２に係る考案は、上記切削体は、円筒体と、該円筒体の端部に設けられる切削刃とから成り、該切削刃は、円筒体の一端外周部から軸方向に突設して配設される内刃と、円筒体の外周部から略放射方向に外方に突設して配設される外刃とを備えることを特徴とする請求項１記載の鉛筆切削器具を提供するものである。
【００１１】
請求項３に係る考案は、上記切削体は、円筒体と、該円筒体の端部に設けられる切削刃とから成り、該切削刃は、円筒体の一端外周部から軸方向に突設して配設される内刃と、円筒体の外周部から外周接線方向に外方に突設して配設される外刃とを備えることを特徴とする請求項１記載の鉛筆切削器具を提供するものである。
【００１２】
請求項４に係る考案は、上記切削体は、円筒体と、該円筒体の端部に設けられる切削刃とから成り、該切削刃は、円筒体の一端外周部から軸方向に突設して配設される内刃と、円筒体の外周部から外周接線方向に渦巻き状に外方に突設して配設される外刃とを備えることを特徴とする請求項１記載の鉛筆切削器具を提供するものである。
【００１３】
請求項５に係る考案は、上記内刃の刃先は、上記外刃の刃先より上記第２挿通孔側に突設していることを特徴とする請求項２，３又は４記載の鉛筆切削器具を提供するものである。
【００１４】
請求項６に係る考案は、上記器具本体の上部に、該器具本体の上面を所定の空間を有して被蔽し、該空間を切削屑収納スペースとする蓋体を着脱自在に設けたことを特徴とする請求項１，２，３，４又は５記載の鉛筆切削器具を提供するものである。
【考案の効果】
【００１５】
本考案によれば、請求項１に係る考案は、鉛筆の切削屑を貯留し、排出するため、器具本体に上方に開放するように形成される切削屑排出穴と、該切削屑排出穴の側部に連通すると共に、該器具本体の側部に開放され、鉛筆を挿入自在の第１挿通孔と、該第１挿通孔と平行に併設されると共に、該切削屑排出穴の側部に連通し、且つ、該器具本体の側部に開放され、鉛筆を挿入自在の第２挿通孔と、該第１挿通孔と同軸心上に配設され、切削刃が該第１挿通孔の前記切削屑排出穴近傍に臨み、鉛筆の中心部を穴明けするドリルと、該第２挿通孔と同軸心上に配設され、切削刃が該第２挿通孔の前記切削屑排出穴近傍に臨み、鉛筆の外周部を切削する切削体とを備えた鉛筆切削器具を提供するので、市販の鉛筆を継ぎ足して使えるようにするために、鉛筆に加工を施すための、使い易く、安価な鉛筆切削器具を提供できる。
【００１６】
請求項２に係る考案は、上記切削体は、円筒体と、該円筒体の端部に設けられる切削刃とから成り、該切削刃は、円筒体の一端外周部から軸方向に突設して配設される内刃と、円筒体の外周部から略放射方向に外方に突設して配設される外刃とを備えるので、請求項１記載の考案の効果に加え、第２挿入孔内に挿入した鉛筆の先端外周部を内刃と外刃で円滑に切削することができる。
【００１７】
請求項３に係る考案は、上記切削体は、円筒体と、該円筒体の端部に設けられる切削刃とから成り、該切削刃は、円筒体の一端外周部から軸方向に突設して配設される内刃と、円筒体の外周部から外周接線方向に外方に突設して配設される外刃とを備えるので、請求項１記載の考案の効果に加え、第２挿入孔内に挿入した鉛筆の先端外周部を内刃と外刃とで円滑に切削することができる。
【００１８】
請求項４に係る考案は、上記切削体は、円筒体と、該円筒体の端部に設けられる切削刃とから成り、該切削刃は、円筒体の一端外周部から軸方向に突設して配設される内刃と、円筒体の外周部から外周接線方向に渦巻き状に外方に突設して配設される外刃とを備えるので、請求項１記載の考案の効果に加え、第２挿入孔内に挿入した鉛筆の先端外周部を内刃と外刃とで円滑に切削することができる。
【００１９】
請求項５に係る考案は、上記内刃の刃先は、上記外刃の刃先より上記第２挿通孔側に突設しているので、請求項２，３又は４記載の考案の効果に加え、内刃によって、鉛筆の年輪等の比較的硬い部分の一部を先にカットすることができる。
【００２０】
請求項６に係る考案は、上記器具本体の上部に、該器具本体の上面を所定の空間を有して被蔽し、該空間を切削屑収納スペースとする蓋体を着脱自在に設けたので、請求項１，２，３，４又は５記載の考案の効果に加え、切削屑を貯留して切削屑の飛散を防止できる。
【考案を実施するための最良の形態】
【００２１】
以下、実施例を示した図面を参照しつつ本考案の実施の形態を説明する。
図１（ａ）に於いて、１は、本考案による鉛筆切削器具であり、鉛筆切削器具１は、例えば、市販の鉛筆２の切削屑（図示せず）を貯留し、排出するため、器具本体３に上方に開放するように形成される一対の切削屑排出穴４，４と、一方の切削屑排出穴４の側部に連通すると共に、器具本体３の側部に開放され、鉛筆２を挿入自在の第１挿通孔５と、第１挿通孔５と離間して平行に併設されると共に、他方の切削屑排出穴４の側部に連通し、且つ、器具本体３の側部に開放され、鉛筆２を挿入自在の第２挿通孔６と、第１挿通孔５と同軸心上に配設され、切削刃７が第１挿通孔５の切削屑排出穴４近傍に臨み、鉛筆２の中心部を穴明けするドリル８と、第２挿通孔６と同軸心上に配設され、切削刃９が第２挿通孔６の切削屑排出穴４近傍に臨み、鉛筆２の外周部を切削する切削体１０とを備えている。
【００２２】
尚、前記一対の切削屑排出穴４，４は、１つの切削屑排出穴として形成することも可能である。
【００２３】
又、前記ドリル８の回転外径寸法は、前記切削体１０の切削刃９の回転内径寸法と略同径或いはやや大径に形成されている。
【００２４】
図１（ｂ）は、前記鉛筆切削器具１の第１挿通孔５に挿入されて前記ドリル８によって切削された鉛筆２Ａと、前記鉛筆切削器具１の第２挿通孔６に挿入されて前記切削体１０によって切削された鉛筆２Ｂとを示しており、鉛筆２Ａは、先端部に鉛筆２Ａの先端に開放する丸穴状の凹部１１が形成され、鉛筆２Ｂは、先端部に鉛筆２Ｂの先端に突出する円柱状の凸部１２が形成され、鉛筆２Ｂの凸部１２は、鉛筆２Ａの凹部１１と略同径或いはやや小径に形成され、鉛筆２Ｂの凸部１２を鉛筆２Ａの凹部１１内に挿入することにより鉛筆２Ｂと鉛筆２Ａを密嵌状態で接合することができる。
【００２５】
尚、凸部１２と凹部１１の接合面及び鉛筆２Ｂと鉛筆２Ａとの接合面には接着材（図示せず）を塗布し、鉛筆２Ｂと鉛筆２Ａとを接着材によって接着する。
【００２６】
又、鉛筆２Ｂと鉛筆２Ａを切削した後、例えば、先に水溶性の接着材を塗布し、乾燥させ、接合時に接着剤を水に濡らして接着可能状態にし、接合することも可能である。
【００２７】
更に、前記鉛筆２Ｂは使用して短くなった鉛筆であり、前記鉛筆２Ａは未使用の鉛筆であるが、それらを接合した場合に、長くなり過ぎて、使用感が悪くなる虞があるため、鉛筆２Ａを市販の未使用の鉛筆長さよりも短く形成したものを予め用意（販売することを含む。）しても良い。
【００２８】
即ち、市販の未使用の鉛筆の長さ、例えば１７．５ｃｍよりも短い長さ、８．０ｃｍ、９．０ｃｍ、１０．０ｃｍ、１１．０ｃｍ、又は、１３．０ｃｍ等の５種類程度の長さに形成したものを、前記鉛筆切削器具１とセットにして用意しても良く、或いは鉛筆切削器具１の関連商品として別途用意しても良い。又、前記５種類をセットにして用意しても良く、個別に用意しても良い。更に、その場合に、それらに予め前記凹部１１を形成しても良い。
【００２９】
図２は、前記切削体１０を示し、切削体１０は、円筒体１３と、円筒体１３の端部に設けられる切削刃９とから成り、切削刃９は、円筒体１３の一端外周部から軸方向に突設して配設される一対の内刃１４，１４と、円筒体１３の外周部から略放射方向に外方に突設して配設される一対の外刃１５，１５とを備える。そして、内刃１４，１４と、外刃１５，１５の刃先は回転方向の先端部に形成されている。
【００３０】
又、前記内刃１４の刃先は、前記外刃１５の刃先より第２挿通孔６側に寸法ｓ分だけ突設している。
【００３１】
図３は、前記器具本体３内の前記切削体１０及びその切削刃９の取り付け状態を示し、同図（ａ）及び（ｂ）に示すように、切削体１０は、前記第２挿通孔６と同軸心上に配設され、切削体１０の基端部は器具本体３内に埋設されて固定され、切削体１０の先端部の切削刃９は、第２挿入孔６の切削屑排出穴４近傍に臨んでいる。
【００３２】
而して、図（ｃ）に示す如く、第２挿通孔６内に鉛筆２を挿入し、鉛筆２の底部を前記切削体１０に接触させ、鉛筆２を切削体１０に押し付けながら右回転させると、先ず、内刃１４が鉛筆２に当接して、内刃１４によって、鉛筆２に形成される凸部（図１に於いて１２）の隣接外周が木目等と共に切削され、次に、外刃１５によって、その外周が切削される。
【００３３】
斯くして、本考案は、市販の鉛筆２，２を継ぎ足して使えるようにするために、鉛筆２に加工を施すための、使い易く、安価な鉛筆切削器具１を提供できる。
【００３４】
又、本考案の鉛筆切削器具１を使用することにより、市販の鉛筆２，２を容易に継ぎ足して使うことができ、従来、廃棄されていた短くなった鉛筆を有効利用することができる。
【００３５】
更に、本考案の鉛筆切削器具１を使用し、同じ、直径、或いは、断面が同じ形状の鉛筆を継ぎ足すことにより、把持し易く、文字が書き易い鉛筆を製作することができる。
【００３６】
そして、本考案の鉛筆切削器具１を使用し、市販の鉛筆２，２を継ぎ足して使うことにより、木材等の資源の無駄使いを無くすことができ、即ち、省資源化を図ることができると共に、鉛筆切削器具１を使用する人、特に、子供等に、資源の大切さを教え、又は、感じさせ、或いは、遊び心を満足させることができることにより、本考案の鉛筆切削器具１は環境教育、或いは、情操教育にも役立つ利点がある。
【００３７】
又、前記切削体１０は、円筒体１３と、円筒体１３の端部に設けられる切削刃９とから成り、該切削刃９は、円筒体１３の一端外周部から軸方向に突設して配設される内刃１４と、円筒体１３の外周部から略放射方向に外方に突設して配設される外刃１５とを備えるので、第２挿入孔６内に挿入した鉛筆の先端外周部を内刃１４と外刃１５で円滑に切削することができる。
【００３８】
更に、前記内刃１４の刃先は、前記外刃１５の刃先より第２挿通孔６側に寸法ｓ分だけ突設しているので、内刃１４によって、鉛筆２の木目の年輪等の比較的硬い部分の一部を先にカットすることができ、残りの年輪等の切削が容易になり、外刃１５の負担を少なくして切削を円滑にすることができると共に、外刃１５の損傷等を防ぐことができる。
【００３９】
図４は、本考案の第２実施例として、前記切削体（図３に於いて９）に代えて用いられる切削体２１を示し、該切削体２１には前記切削体（図３に於いて９）の外刃（図３に於いて１５）に代えて、円筒体１３の外周部から外周接線方向に外方に突設して配設される一対の外刃２２，２２を備えている。
【００４０】
而して、同図（ｄ）及び（ｅ）に於いて、第２挿通孔６内に鉛筆２を挿入し、鉛筆２の底部を前記切削体２１に接触させ、鉛筆２を切削体２１に押し付けながら右回転させると、先ず、内刃１４，１４が鉛筆２に当接して、内刃１４，１４によって、鉛筆２に形成される凸部（図１に於いて１２）の外周隣接部が木目等と共に切削され、次に、外刃２２，２２によって、その外周が切削されて凸部（図１に於いて１２）が形成される。
【００４１】
斯くして、前記切削体２１は、円筒体１３の外周部から外周接線方向に外方に突設して配設される外刃２２，２２を備えるので、切断効率が良く、第２挿入孔６内に挿入した鉛筆２の先端外周部を円滑に切削することができる。
【００４２】
図５は、本考案の第３実施例として、前記切削体（図３に於いて９）に代えて用いられる切削体３１を示し、該切削体３１には前記切削体（図３に於いて９）の外刃（図３に於いて１５）に代えて、円筒体１３の外周部から外周接線方向に渦巻き状に外方に突設して配設される一対の外刃３２，３２を備えている。
【００４３】
而して、図６に示す如く、第２挿通孔６内に鉛筆２を挿入し、鉛筆２の底部を前記切削体３１に接触させ、鉛筆２を切削体３１に押し付けながら右回転させると、先ず、切削体３１の内刃１４が鉛筆２に当接して、内刃１４によって、鉛筆２に形成される凸部（図１に於いて１１）の隣接外周が木目等と共に切削され、次に、外刃３２によって、その外周が切削されて凸部（図１に於いて１１）が形成される。
【００４４】
斯くして、前記外刃３２は、円筒体１３の外周部から外周接線方向に渦巻き状に外方に突設して配設されるので、切断効率が良く、第２挿入孔６内に挿入した鉛筆２の先端外周部を円滑に切削することができる。
【００４５】
図７に於いて、２Ｂは、前記切削体１０によって切削された鉛筆を示し、鉛筆２Ｂの凸部１２の外周隣接部は、前述したように、主として切削体１０の内刃１４，１４で切削され、その外方は外刃１５，１５で切削される。そして、凸部１２は所定長さの円柱状に形成され、中心部の芯部３３の周りに所定厚みを有する環状の木部３４が残留するように形成される。同様にして、前記切削体２１又は３１によっても同形状の鉛筆２Ｂの凸部１２が形成される。
【００４６】
図８（ａ）及び（ｂ）は、前記器具本体３内の前記ドリル８の取り付け状態を示し、前述したように、ドリル８は、第１挿通孔５と同軸心上に配設され、ドリル８の基端部は器具本体３内に埋設されて固定され、切削刃７が第１挿通孔５の切削屑排出穴４近傍に臨み、鉛筆２の中心部を穴明けするように構成されている。
【００４７】
而して、同図（ｃ）に示す如く、第１挿通孔５内に鉛筆２を挿入し、鉛筆２の底部を前記ドリル８に接触させ、鉛筆２をドリル８に押し付けながら右回転させると、先ず、ドリル８の切削刃７によって、鉛筆２の中心部に円柱状の凹部１１が切削される。
【００４８】
図９は、本考案の第４実施例として、前記器具本体３の上部に設ける蓋体４１を示し、蓋体４１は、器具本体３の上部に、器具本体３の上面を所定の空間４２を有して被蔽するように着脱自在に設けられ、空間４２を切削屑収納スペースとして利用できるようにしたものである。
【００４９】
即ち、蓋体４１は、下方開放の箱状体に形成され、下端部内壁に内方に突設する例えば環状の係止部４３が形成されており、一方、前記器具本体３の側壁上端部に前記係止部４３を係合させるべく、例えば環状凹溝状の係合部４４が形成されている。尚、前記係止部４２及び係合部４３は、環状に形成されるが、これに限定されるものではなく、図示は省略するが、複数個の突出部と、これに係合する凹部として形成されてもよい。
【００５０】
尚、蓋体４１は、好適には、切削屑の収納状態が確認できるように透明のプラスチック等で形成される。
【００５１】
而して、蓋体４１を取り付けた状態に於いて、前記切削体１０（或いは、切削体２１、又は、３１）と、前記ドリル８とによって切削された切削屑は前記切削屑排出穴４，４内に排出され、貯留されると共に、切削屑排出穴４から溢れ出た切削屑は前記切削屑収納スペースとしての前記空間４２に蓄えられる。
【００５２】
そして、空間４２が切削屑で一杯になった場合は、前記蓋体４１を取外して切削屑を排出する。
【００５３】
斯くして、本考案の第４実施例は、前記器具本体３の上部に、空間４２を切削屑収納スペースとする蓋体４１を着脱自在に設けたので、蓋体４１は、空間４２に切削屑を貯留して切削屑の飛散を防止できる。
【００５４】
尚、本考案の鉛筆切削器具１に於ける前述の説明に於いて、鉛筆２の回転方法については、詳細に説明しなかったが、鉛筆２の回転を手動式にすることも可能であり、電動式にすることも可能である。
【００５５】
又、鉛筆２を固定して、鉛筆切削器具１を電動で回転させる構成も可能であり、或いは、前記ドリル８、切削体１０、２１、３１を前述の説明では固定式としたが、ドリル８、切削体１０、２１、３１を夫々回転させる構成に代えることも可能である。
【００５６】
更に、本考案の鉛筆切削器具１に於ける前述の説明に於いて、鉛筆２，２に夫々凸部１２と凹部１１を形成したが、前記ドリル８及び切削体１０に代えて、ねじ切り工具を設け、前記凸部１２と凹部１１に代えて、鉛筆２、２に夫々雄ネジと雌ネジを形成し、雄ネジと雌ネジを接合させて鉛筆２，２を継ぎ足すようにすることも可能である。
【図面の簡単な説明】
【００５７】
【図１】（ａ）本考案による鉛筆切削器具を示す斜視図である。（ｂ）本考案により切削された鉛筆の連結方法を説明する正面図である。
【図２】（ａ）本考案による切削体を示す斜視図である。（ｂ）本考案による切削体を示す平面図である。（ｃ）本考案による切削体を示す側面図である。（ｄ）本考案による切削体を示す正面図である。
【図３】（ａ）本考案による切削体の取り付け状態を示す側面縦断面図である。（ｂ）本考案による切削体の取り付け状態を示す正面縦断面図である。（ｃ）本考案による切削体の切削状態を示す側面縦断面図である。
【図４】（ａ）本考案の第２実施例による切削体の平面図である。（ｂ）本考案の第２実施例による切削体の側面図である。（ｃ）本考案の第２実施例による切削体の正面図である。（ｄ）本考案の第２実施例による切削体の取り付け状態を示す側面縦断面図である。（ｅ）本考案の第２実施例による切削体の取り付け状態を示す正面縦断面図である。
【図５】（ａ）本考案の第３実施例による切削体を示す斜視図である。（ｂ）本考案の第３実施例による切削体を示す平面図である。（ｃ）本考案の第３実施例による切削体を示す側面図である。（ｄ）本考案の第３実施例による切削体を示す正面図である。
【図６】（ａ）本考案の第３実施例による切削体の取り付け状態を示す側面縦断面図である。（ｂ）本考案の第３実施例による切削体の取り付け状態を示す正面縦断面図である。
【図７】（ａ）本考案の切削体と、その切削体によって切削された鉛筆とを示す側面図である。（ｂ）本考案の切削体によって切削された鉛筆の背面図である。
【図８】（ａ）本考案のドリルの取り付け状態を示す側面縦断面図である。（ｂ）本考案のドリルの取り付け状態を示す正面図である。（ｃ）本考案によるドリルの切削状態を示す側面縦断面図である。
【図９】（ａ）本考案の第４実施例による蓋体の取り付け状態を示す斜視図である。（ｂ）本考案の第４実施例による蓋体の取り付け状態を示す正面縦断面図である。
【符号の説明】
【００５８】
１  鉛筆切削器具
２  鉛筆
３  器具本体
４  切削屑排出穴
５  第１挿通孔
６  第２挿通孔
７，９  切削刃
８  ドリル
１０，２１，３１  切削体
１３  円筒体
１４  内刃
１５，２２，３２  外刃
４１  蓋体
４２  空間
【図１】
0003113038.tif 000003
【図２】
0003113038.tif 000004
【図３】
0003113038.tif 000005
【図４】
0003113038.tif 000006
【図５】
0003113038.tif 000007
【図６】
0003113038.tif 000008
【図７】
0003113038.tif 000009
【図８】
0003113038.tif 000010
【図９】
0003113038.tif 000011